(57)【特許請求の範囲】
【請求項１】
ワイヤレス通信の方法であって、
N個のキャリアを有する多重化マルチキャリア無線周波数(RF)信号をユーザ機器(UE)によって受信するステップと、
前記N個のキャリアのうちの1キャリアごとにマルチキャストチャネル(MCH)スケジューリング期間(MSP)当たり1つのアクセスを実施し、それによって前記N個のキャリアにわたってMSP持続時間当たりN回のアクセスを実施することによって、前記N個のキャリアに前記UEによってアクセスするステップとを含み、
前記MSPおよびそれらのそれぞれのMCHスケジューリング情報(MSI)が、前記N個のキャリアにわたって時間的に交互配置される、方法。
【請求項２】
ワイヤレス通信の方法であって、
N個のキャリアを有する多重化マルチキャリア無線周波数(RF)信号をユーザ機器(UE)によって受信するステップと、
前記N個のキャリアのうちの1キャリアごとにマルチキャストチャネル(MCH)スケジューリング期間(MSP)当たり1つのアクセスを実施し、それによって前記N個のキャリアにわたってMSP持続時間当たりN回のアクセスを実施することによって、前記N個のキャリアに前記UEによってアクセスするステップとを含み、
前記MSPおよびそれらのそれぞれのMCHスケジューリング情報(MSI)が、前記N個のキャリアにわたって時間的に整列される、方法。
【請求項３】
各MSP内のマルチキャストトランスポートチャネル(MTCH)の順序が、それらのそれぞれのMSP持続時間内の前記N個のキャリアにわたって相対的に固定され、前記N個のキャリアのそれぞれのマルチキャストトランスポートチャネル(MTCH)の間の前記N個のキャリアにわたる静的時間オフセットに基づいて、前記N個のキャリアにアクセスする前記ステップが前記N個のキャリアのうちの別の1つに対する別のMSIから前記N個のキャリアのうちの1つに対するMSIを推測するステップを含む、請求項1に記載の方法。
【請求項４】
ノンホッピングマルチキャストトランスポートチャネル(MTCH)の位置が、それらの前記それぞれのMSP持続時間内の前記N個のキャリアにわたって周波数ホッピングMTCHの位置に対して固定される、請求項1に記載の方法。
【請求項５】
前記N個のキャリアにアクセスする前記ステップが、
キャリアごとの前記N個のキャリアのすべての共通のMSIでの記述を取得するステップと、
前記N個のキャリアのそれぞれのマルチキャストトランスポートチャネル(MTCH)の間の前記N個のキャリアにわたる静的時間オフセットに基づいて、前記N個のキャリアのうちの別の1つに対する別のMSIから前記N個のキャリアのうちの1つに対するMSIを推測するステップとのうちの少なくとも1つを含む、請求項2に記載の方法。
【請求項６】
マルチキャストトランスポートチャネル(MTCH)の順序が、所与のMSP内の前記N個のキャリアにわたって回転され、ノンホッピングマルチキャストトランスポートチャネル(MTCH)の位置が、それらのそれぞれのMSP内の前記N個のキャリアにわたって周波数ホッピングMTCHの位置に対して固定される、請求項2に記載の方法。
【請求項７】
前記N個のキャリアにアクセスするステップが、
マルチキャストトランスポートチャネル(MTCH)の集合に同時にアクセスするステップと、
前記N個のキャリアのうちの1つにおけるアクセスを、前記N個のキャリアのうちの別の1つにおけるアクセスより少なくとも所定の時間早く完了するステップと、
隣接周波数のアクセスを最小化することによって隣接周波数の時間相関を低減するために、少なくとも部分的に非順次的に隣接周波数セグメントにアクセスするステップであって、前記N個のキャリアのうちの1キャリアが、前記隣接周波数セグメントのうちの2つ以上から形成される、アクセスするステップと、
現在アクセスされているブロードキャストサービスを含むブロードキャストサブフレームを含むフレーム内でユニキャストトラフィックにアクセスするステップと、
前記N個のキャリアにわたって単一のMTCH一時的モバイルグループ識別子(TMGI)を利用するステップと、
キャリアごとに固有であり、1つまたは複数の上位レイヤによって組み合わされるMTCH TMGIを利用するステップと、
規定されたサービスが単一のモデムリソースによってアクセス可能であるようにスケジュールされたMTCHを受信するステップとのうちの少なくとも1つを含む、請求項1に記載の方法。
【請求項８】
ワイヤレス通信のための方法であって、
N個のキャリアのうちの1キャリアごとにマルチキャストチャネル(MCH)スケジューリング期間(MSP)当たり1つのアクセスのレートにおいてアクセスされるように編成される前記N個のキャリアを有し、それによって前記N個のキャリアにわたってMSP持続時間当たりN回のアクセスを必要とする、多重化マルチキャリア無線周波数(RF)信号を、基地局によって生成するステップと、
前記RF信号をユーザ機器(UE)に、前記基地局によって送信するステップとを含み、
前記RF信号を生成するステップが、前記MSPおよびそれらのそれぞれのMCHスケジューリング情報(MSI)が時間的に交互配置されるように、前記N個のキャリアを編成するステップを含む、方法。
【請求項９】
ワイヤレス通信のための方法であって、
N個のキャリアのうちの1キャリアごとにマルチキャストチャネル(MCH)スケジューリング期間(MSP)当たり1つのアクセスのレートにおいてアクセスされるように編成される前記N個のキャリアを有し、それによって前記N個のキャリアにわたってMSP持続時間当たりN回のアクセスを必要とする、多重化マルチキャリア無線周波数(RF)信号を、基地局によって生成するステップと、
前記RF信号をユーザ機器(UE)に、前記基地局によって送信するステップとを含み、
前記RF信号を生成するステップが、前記MSPおよびそれらのそれぞれのMCHスケジューリング情報(MSI)が時間的に整列されるように、前記N個のキャリアを編成するステップを含む、方法。
【請求項１０】
前記N個のキャリアを編成するステップが、
各MSP内のマルチキャストトランスポートチャネル(MTCH)の順序が、それらのそれぞれのMSP持続時間内に相対的に固定されるように前記N個のキャリアを編成するステップと、
前記N個のキャリアのそれぞれのMTCHの間の前記N個のキャリアにわたる静的時間オフセットに基づいてスケジューリングルールを実行することによって、前記N個のキャリアのうちの1つに対するMSIが前記N個のキャリアのうちの別の1つに対する別のMSIから推測され得るように前記N個のキャリアを編成するステップと、
ノンホッピングMTCHの位置が、それらの前記それぞれのMSP持続時間内の周波数ホッピングMTCHの位置に対して固定されるように前記N個のキャリアを編成するステップとのうちの1つを含む、請求項8に記載の方法。
【請求項１１】
前記RF信号を生成するステップが、キャリアごとに前記N個のキャリアのすべてを共通のMSIで記述するステップを含み、前記N個のキャリアを編成するステップが、
前記N個のキャリアのそれぞれのMTCHの間の前記N個のキャリアにわたる静的時間オフセットに基づいてスケジューリングルールを実行することによって、前記N個のキャリアのうちの1つに対するMSIが前記N個のキャリアのうちの別の1つに対する別のMSIから推測され得るように前記N個のキャリアを編成するステップと、
所与のMSP内でMTCHの順序を回転するステップと、
ノンホッピングMTCHの位置が、それらのそれぞれのMSP内の周波数ホッピングMTCHの位置に対して固定されるように前記N個のキャリアを編成するステップとのうちの少なくとも1つを含む、請求項8に記載の方法。
【請求項１２】
前記RF信号を生成するステップが、
最大アクセス時間を1つまたは複数のマルチキャストトランスポートチャネル(MTCH)に割り振るステップと、
すべてに同時にアクセス可能であるようにMTCHの集合をスケジュールするステップとのうちの少なくとも1つを含み、
MTCHの前記集合をスケジュールするステップが、
MSP内の前記MTCHの順序付けにおいて時間的に隣接するように前記MTCHをスケジュールするステップと、
前記N個のキャリアのうちの1つにおけるアクセスが、前記スケジューリングが前記N個のキャリアのうちの別の1つにおけるアクセスを必要とするより所定の時間早く終了するように、MTCHの前記集合をスケジュールするステップとのうちの少なくとも1つを含む、請求項8に記載の方法。
【請求項１３】
前記RF信号を生成するステップが、
前記UEによる隣接周波数のアクセスを最小化することによって隣接周波数の時間相関を低減するために、少なくとも部分的に非順次的になるように隣接周波数セグメントのアクセスをスケジュールするステップであって、前記N個のキャリアのうちの1キャリアが、前記隣接周波数セグメントのうちの2つ以上から形成される、スケジュールするステップと、
現在アクセスされているブロードキャストサービスを含むブロードキャストサブフレームを含むフレームにユニキャストトラフィックを割り当てるステップと、
前記N個のキャリアにわたって単一のマルチキャストトランスポートチャネル(MTCH)一時的モバイルグループ識別子(TMGI)を維持するステップと、
キャリアごとに固有であり、1つまたは複数の上位レイヤによって組み合わされるMTCH TMGIを維持するステップと、
単一のデバイスモデムリソースが総許容受信時間Trを超える必要がないことを確実にするルールに従って前記MSPおよびそれらのそれぞれのMCHスケジューリング情報(MSI)をスケジュールするステップであって、前記Trが、
Tr=(MSP-MSI)-N*キャリアごとの遷移時間に従って計算され、
ここでMSPが前記MSPの持続時間を表し、MSIが、前記MCHスケジューリング情報を読み取るのに必要な時間を表す、スケジュールするステップと、
前記N個のキャリアのうちのいずれかにおいてMTCHの所望の集合に対する総経過時間が、しきい値Tcを越えないことを確実にするルールに従って前記MSPおよびそれらのそれぞれのMCHスケジューリング情報(MSI)の間にマルチキャストトランスポートチャネル(MTCH)をスケジュールするステップであって、前記Tcが下記の
Tc=(MSP-MSI)/N-遷移時間
として計算され、
ここでMSPが前記MSPの持続時間を表し、MSIが、前記MCHスケジューリング情報を読み取るのに必要な時間を表し、前記ルールが、前記総経過時間が前記N個のキャリアのうちの別の1つにおいて集合の意味において、前記遷移時間を含めてそれ自体と重ならないことをさらに確実にする、スケジュールするステップと、
規定されたサービスが単一のモデムリソースによってアクセス可能であるようにMTCHをスケジュールするステップと、
1つのサービス内のすべてのMTCHがスケジューリング制約をすべて満足する最小要件に従ってMTCHをスケジュールするステップとのうちの少なくとも1つを含む、請求項8に記載の方法。
【請求項１４】
プログラムコードが記録された非一時的コンピュータ可読記憶媒体であって、前記プログラムコードが、
N個のキャリアを有する多重化マルチキャリア無線周波数(RF)信号をユーザ機器(UE)によって受信することをコンピュータに行わせるためのプログラムコードと、
前記N個のキャリアのうちの1キャリアごとにマルチキャストチャネル(MCH)スケジューリング期間(MSP)当たり1つのアクセスを実施し、それによって前記N個のキャリアにわたってMSP持続時間当たりN回のアクセスを実施することによって、前記N個のキャリアに前記UEによってアクセスすることを前記コンピュータに行わせるためのプログラムコードとを含み、
前記MSPおよびそれらのそれぞれのMCHスケジューリング情報(MSI)が、前記N個のキャリアにわたって時間的に交互配置される、非一時的コンピュータ可読記憶媒体。
【請求項１５】
プログラムコードが記録された非一時的コンピュータ可読記憶媒体であって、前記プロ
グラムコードが、
N個のキャリアを有する多重化マルチキャリア無線周波数(RF)信号をユーザ機器(UE)によって受信することをコンピュータに行わせるためのプログラムコードと、
前記N個のキャリアのうちの1キャリアごとにマルチキャストチャネル(MCH)スケジューリング期間(MSP)当たり1つのアクセスを実施し、それによって前記N個のキャリアにわたってMSP持続時間当たりN回のアクセスを実施することによって、前記N個のキャリアに前記UEによってアクセスすることを前記コンピュータに行わせるためのプログラムコードとを含み、
前記MSPおよびそれらのそれぞれのMCHスケジューリング情報(MSI)が、前記N個のキャリアにわたって時間的に整列される、非一時的コンピュータ可読記憶媒体。
【請求項１６】
各MSP内のマルチキャストトランスポートチャネル(MTCH)の順序が、それらのそれぞれのMSP持続時間内に前記N個のキャリアにわたって相対的に固定され、
前記N個のキャリアにアクセスすることを前記コンピュータに行わせるための前記プログラムコードが、前記N個のキャリアのそれぞれのマルチキャストトランスポートチャネル(MTCH)の間の前記N個のキャリアにわたる静的時間オフセットに基づいて、前記N個のキャリアのうちの別の1つに対する別のMSIから前記N個のキャリアのうちの1つに対するMSIを推測することを前記コンピュータに行わせるためのプログラムコードを含み、
ノンホッピングMTCHの位置が、それらの前記それぞれのMSP持続時間内の前記N個のキャリアにわたる周波数ホッピングMTCHの位置に対して固定される、請求項14に記載の非一時的コンピュータ可読記憶媒体。
【請求項１７】
前記N個のキャリアにアクセスすることを前記コンピュータに行わせるための前記プログラムコードが、
キャリアごとの前記N個のキャリアのすべての共通のMSIでの記述を前記コンピュータに取得することを行わせるためのプログラムコードと、
前記N個のキャリアのそれぞれのマルチキャストトランスポートチャネル(MTCH)の間の前記N個のキャリアにわたる静的時間オフセットに基づいて、前記N個のキャリアのうちの別の1つに対する別のMSIから前記N個のキャリアのうちの1つに対するMSIを前記コンピュータに推測することを行わせるためのプログラムコードとのうちの少なくとも1つを含む
、請求項15に記載の非一時的コンピュータ可読記憶媒体。
【請求項１８】
マルチキャストトランスポートチャネル(MTCH)の順序が、所与のMSP内の前記N個のキャリアにわたって回転され、ノンホッピングマルチキャストトランスポートチャネル(MTCH)の位置が、それらのそれぞれのMSP内の前記N個のキャリアにわたって周波数ホッピングMTCHの位置に対して固定される、請求項15に記載の非一時的コンピュータ可読記憶媒体。
【請求項１９】
前記N個のキャリアにアクセスすることを前記コンピュータに行わせるための前記プログラムコードが、
マルチキャストトランスポートチャネル(MTCH)の集合に同時にアクセスすることを前記コンピュータに行わせるためのプログラムコードと、
前記N個のキャリアのうちの1つにおけるアクセスを、前記N個のキャリアのうちの別の1つにおけるアクセスより少なくとも所定の時間早く完了することを、前記コンピュータに行わせるためのプログラムコードと、
隣接周波数のアクセスを最小化することによって隣接周波数の時間相関を低減するために、少なくとも部分的に非順次的に隣接周波数セグメントにアクセスすることを、前記コンピュータに行わせるためのプログラムコードであって、前記N個のキャリアのうちの1キャリアが、前記隣接周波数セグメントのうちの2つ以上から形成される、プログラムコードと、
現在アクセスされているブロードキャストサービスを含むブロードキャストサブフレームを含むフレーム内でユニキャストトラフィックにアクセスすることを、前記コンピュータに行わせるためのプログラムコードと、
前記N個のキャリアにわたる単一のMTCH一時的モバイルグループ識別子(TMGI)を利用することを、前記コンピュータに行わせるためのプログラムコードと、
キャリアごとに固有であり、1つまたは複数の上位レイヤによって組み合わされるMTCH TMGIを利用することを、前記コンピュータに行わせるためのプログラムコードと、
規定されたサービスが単一のモデムリソースによってアクセス可能であるようにスケジュールされたMTCHを受信することを、前記コンピュータに行わせるためのプログラムコードとのうちの少なくとも1つを含む、請求項14に記載の非一時的コンピュータ可読記憶媒体。
【請求項２０】
少なくとも1つのプロセッサと、
前記少なくとも1つのプロセッサに結合されたメモリとを備え、
前記少なくとも1つのプロセッサが、
N個のキャリアを有する多重化マルチキャリア無線周波数(RF)信号をユーザ機器(UE)によって受信することと、
前記N個のキャリアのうちの1キャリアごとにマルチキャストチャネル(MCH)スケジューリング期間(MSP)当たり1つのアクセスを実施し、それによって前記N個のキャリアにわたってMSP持続時間当たりN回のアクセスを実施することによって、前記N個のキャリアにUEによってアクセスすることとを行うように構成され、
前記MSPおよびそれらのそれぞれのMCHスケジューリング情報(MSI)が、前記N個のキャリアにわたって時間的に交互配置される、ユーザ機器(UE)。
【請求項２１】
少なくとも1つのプロセッサと、
前記少なくとも1つのプロセッサに結合されたメモリとを備え、
前記少なくとも1つのプロセッサが、
N個のキャリアを有する多重化マルチキャリア無線周波数(RF)信号をユーザ機器(UE)によって受信することと、
前記N個のキャリアのうちの1キャリアごとにマルチキャストチャネル(MCH)スケジューリング期間(MSP)当たり1つのアクセスを実施し、それによって前記N個のキャリアにわたってMSP持続時間当たりN回のアクセスを実施することによって、前記N個のキャリアにUEによってアクセスすることとを行うように構成され、
前記MSPおよびそれらのそれぞれのMCHスケジューリング情報(MSI)が、前記N個のキャリアにわたって時間的に整列される、ユーザ機器(UE)。
【請求項２２】
各MSP内のマルチキャストトランスポートチャネル(MTCH)の順序が、それらのそれぞれのMSP持続時間内の前記N個のキャリアにわたって相対的に固定され、前記N個のキャリアにアクセスするための前記少なくとも1つのプロセッサの前記構成が、前記N個のキャリアのそれぞれのマルチキャストトランスポートチャネル(MTCH)の間の前記N個のキャリアにわたる静的時間オフセットに基づいて、前記N個のキャリアのうちの別の1つに対する別のMSIから前記N個のキャリアのうちの1つに対するMSIを推測するための構成を含む、請求項20に記載のUE。
【請求項２３】
ノンホッピングマルチキャストトランスポートチャネル(MTCH)の位置が、それらの前記それぞれのMSP持続時間内の前記N個のキャリアにわたって周波数ホッピングMTCHの位置に対して固定される、請求項20に記載のUE。
【請求項２４】
前記N個のキャリアにアクセスするための前記少なくとも1つのプロセッサの前記構成が、
キャリアごとの前記N個のキャリアのすべての共通のMSIでの記述を取得することと、
前記N個のキャリアのそれぞれのマルチキャストトランスポートチャネル(MTCH)の間の前記N個のキャリアにわたる静的時間オフセットに基づいて、前記N個のキャリアのうちの別の1つに対する別のMSIから前記N個のキャリアのうちの1つに対するMSIを推測することとのうちの少なくとも1つを行うための、前記少なくとも1つのプロセッサの構成を含む、請求項21に記載のUE。
【請求項２５】
マルチキャストトランスポートチャネル(MTCH)の順序が、所与のMSP内の前記N個のキャリアにわたって回転され、ノンホッピングマルチキャストトランスポートチャネル(MTCH)の位置が、それらのそれぞれのMSP内の前記N個のキャリアにわたって周波数ホッピングMTCHの位置に対して固定される、請求項21に記載のUE。
【請求項２６】
前記N個のキャリアにアクセスするための前記少なくとも1つのプロセッサの前記構成が、
マルチキャストトランスポートチャネル(MTCH)の集合に同時にアクセスすることと、
前記N個のキャリアのうちの1つにおけるアクセスを、前記N個のキャリアのうちの別の1つにおけるアクセスより少なくとも所定の時間早く完了することと、
隣接周波数のアクセスを最小化することによって隣接周波数の時間相関を低減するために、少なくとも部分的に非順次的に隣接周波数セグメントにアクセスすることであって、
前記N個のキャリアのうちの1キャリアが、前記隣接周波数セグメントのうちの2つ以上から形成される、アクセスすることと、
現在アクセスされているブロードキャストサービスを含むブロードキャストサブフレームを含むフレーム内でユニキャストトラフィックにアクセスすることと、
前記N個のキャリアにわたって単一のMTCH一時的モバイルグループ識別子(TMGI)を利用することと、
キャリアごとに固有であり、1つまたは複数の上位レイヤによって組み合わされるMTCH TMGIを利用することと、
規定されたサービスが単一のモデムリソースによってアクセス可能であるようにスケジュールされたMTCHを受信することとのうちの少なくとも1つを行うための、前記少なくとも1つのプロセッサの構成を含む、請求項20に記載のUE。 
【発明の詳細な説明】
【技術分野】
【０００１】
関連出願の相互参照
本出願は、その全体が参照により本明細書に明確に組み込まれる、2013年11月5日に出願された「DIVERSITY ENHANCEMENT IN A MULTIPLE CARRIER SYSTEM」と題する米国仮特許出願第61/900,236号、および2014年11月3日に出願された「DIVERSITY ENHANCEMENT IN A MULTIPLE CARRIER SYSTEM」と題する米国実用特許出願第14/531,625号の利益を主張する。
【０００２】
本開示の態様は、一般に、ワイヤレス通信システムに関し、より詳細には、多重キャリアシステムにおけるダイバーシティ強化に関する。
【背景技術】
【０００３】
ワイヤレス通信ネットワークは、音声、ビデオ、パケットデータ、メッセージング、ブロードキャストなどの様々な通信サービスを提供するために広く配置されている。これらのワイヤレスネットワークは、利用可能なネットワークリソースを共有することによって複数のユーザをサポートすることのできる多元接続ネットワークであり得る。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
ワイヤレス通信ネットワークは、いくつかのユーザ機器(UE)についての通信をサポートし得るいくつかのeNodeBを含み得る。UEは、ダウンリンクおよびアップリンクを介してeNodeBと通信し得る。ダウンリンク(または順方向リンク)は、eNodeBからUEまでの通信リンクを指し、アップリンク(または逆方向リンク)は、UEからeNodeBまでの通信リンクを指す。
【０００５】
いくつかの実装形態では、ワイヤレス通信システムは、統計的多重化を有する多重キャリアシステムとして構成され得る。そのような実装形態では、直交周波数分割多重(OFDM)シンボルのサイクリックプレフィックスを増加させることで、より長いチャネルが自己干渉なしに可能になるが、必要な高速フーリエ変換(FFT)が増加する。多大なFFTを回避するための1つの方法は、FFTサイズを縮小するために、キャリアを5MHzおよび/または6MHzセグメントなど、より小さい周波数セグメントに分割することである。この方式では、高帯域幅多重送信(high bandwidth multiplex)は、周波数セグメントに順次アクセスすることによって形成されてよく、そのことで、より効率的な統計的多重化が可能になり得る。これに関連して、容量を最大化するために、外部コードの持続時間を最大化することが望ましい。しかしながら、より長いダイバーシティは、外部コードの有効性を高める一方で、それは、同時に、エンドツーエンド待ち時間を増加させる。本開示は、そのような多重キャリアシステムにおいてダイバーシティ強化を提供することを対象とする。
【発明の概要】
【課題を解決するための手段】
【０００６】
多重キャリアシステムにおける時間ダイバーシティ強化のための技法を、本明細書で説明する。
【０００７】
一態様では、ワイヤレス通信のための方法は、N個のキャリアのうちの1キャリアごとにマルチキャストチャネル(MCH)スケジューリング期間(MSP)当たり1キャリアアクセスのレートにおいてアクセスされるように編成されるN個のキャリアを有し、それによってN個のキャリアにわたってMSP持続時間当たりN回のアクセスを必要とする、多重化マルチキャリア無線周波数(RF)信号を、基地局によって生成するステップを含む。方法はまた、RF信号をユーザ機器(UE)に、基地局によって送信するステップを含む。
【０００８】
別の態様では、ワイヤレス通信のための装置は、N個のキャリアのうちの1キャリアごとにMSP当たり1キャリアアクセスのレートにおいてアクセスされるように編成されるN個のキャリアを有し、それによってN個のキャリアにわたってMSP持続時間当たりN回のアクセスを必要とする、多重化マルチキャリアRF信号を、基地局によって生成するための手段を含む。装置はまた、RF信号をUEに、基地局によって送信するための手段を含む。
【０００９】
装置のそのような一態様では、RF信号を生成するための手段は、80ミリ秒、160ミリ秒、320ミリ秒、640ミリ秒、1.28秒、2.56秒、5.12秒、または10.24秒当たり1キャリアアクセスのレートにおいてアクセスされるように、N個のキャリアを編成するための手段を含み得る。
【００１０】
装置のそのような一態様では、RF信号を生成するための手段は、MSPおよびそれらのそれぞれのMCHスケジューリング情報(MSI)が時間的に交互配置されるように、N個のキャリアを編成するための手段を含み得る。
【００１１】
装置のそのような一態様では、N個のキャリアを編成するための手段は、各MSP内のマルチキャストトランスポートチャネル(MTCH)の順序が、それらのそれぞれのMSP持続時間内で相対的に固定されるように、N個のキャリアを編成するための手段を含み得る。
【００１２】
装置のそのような一態様では、N個のキャリアを編成するための手段は、N個のキャリアのそれぞれのMTCHの間のN個のキャリアにわたる静的時間オフセットに基づいてスケジューリングルールを実行することによって、N個のキャリアのうちの1つに対するMSIがN個のキャリアのうちの別の1つに対する別のMSIから推測され得るように、N個のキャリアを編成するための手段を含み得る。
【００１３】
装置のそのような一態様では、N個のキャリアを編成するための手段は、ノンホッピングMTCHの位置が、それらのそれぞれのMSP持続時間内で周波数ホッピングMTCHの位置に対して固定されるように、N個のキャリアを編成するための手段を含み得る。
【００１４】
装置のそのような一態様では、RF信号を生成するための手段は、MSPおよびそれらのそれぞれのMSIが時間的に整列されるように、N個のキャリアを編成するための手段を含み得る。
【００１５】
装置のそのような一態様では、RF信号を生成するための手段は、キャリアごとにN個のキャリアのすべてを共通のMSIで記述するための手段を含み得る。
【００１６】
装置のそのような一態様では、N個のキャリアを編成するための手段は、N個のキャリアのそれぞれのMTCHの間のN個のキャリアにわたる静的時間オフセットに基づいてスケジューリングルールを実行することによって、N個のキャリアのうちの1つに対するMSIがN個のキャリアのうちの別の1つに対する別のMSIから推測され得るように、N個のキャリアを編成するための手段を含み得る。
【００１７】
装置のそのような一態様では、N個のキャリアを編成するための手段は、所与のMSP内でMTCHの順序を回転させるための手段を含み得る。
【００１８】
装置のそのような一態様では、N個のキャリアを編成するための手段は、ノンホッピングMTCHの位置が、それらのそれぞれのMSP内で周波数ホッピングMTCHの位置に対して固定されるように、N個のキャリアを編成するための手段を含み得る。
【００１９】
装置のそのような一態様では、RF信号を生成するための手段は、最大アクセス時間を1つまたは複数のMTCHに割り振るための手段を含み得る。
【００２０】
装置のそのような一態様では、RF信号を生成するための手段は、MTCHの集合がすべて同時にアクセス可能であるようにスケジュールするための手段を含み得る。
【００２１】
装置のそのような一態様では、MTCHの集合をスケジュールするための手段は、MSP内のMTCHの順序付けにおいて、MTCHが時間的に隣接するようにスケジュールするための手段を含み得る。
【００２２】
装置のそのような一態様では、MTCHの集合をスケジュールするための手段は、N個のキャリアのうちの1つにおけるアクセスが、スケジュールすることがN個のキャリアのうちの別の1つにおけるアクセスを必要とするより所定の時間早く終了するように、MTCHの集合をスケジュールするための手段を含み得る。
【００２３】
装置のそのような一態様では、RF信号を生成するための手段は、UEによる隣接周波数のアクセスを最小化することによって隣接周波数の時間相関を低減するために、隣接周波数セグメントのアクセスが少なくとも部分的に非順次的であるようにスケジュールするための手段を含み得る。
【００２４】
装置のそのような一態様では、RF信号を生成するための手段は、現在アクセスされているブロードキャストサービスを含むブロードキャストサブフレームを含むフレームに、ユニキャストトラフィックを割り当てるための手段を含み得る。
【００２５】
装置のそのような一態様では、RF信号を生成するための手段は、N個のキャリアにわたって単一のMTCH一時的モバイルグループ識別子(temporary mobile group identifier)(TMGI)を維持するための手段を含み得る。
【００２６】
装置のそのような一態様では、RF信号を生成するための手段は、キャリアごとに固有であり、1つまたは複数の上位レイヤによって組み合わされるMTCH TMGIを維持するための手段を含み得る。
【００２７】
装置のそのような一態様では、RF信号を生成するための手段は、単一のデバイスモデムリソースが総許容受信時間Trを超える必要がないことを確実にするルールに従って、MSPおよびそれらのそれぞれのMSIをスケジュールするための手段を含み得、Trは式、Tr=(MSP-MSI)-N*キャリア当たり遷移時間、に従って計算され、ここでMSPはMSPの持続時間を表し、MSIはMCHスケジューリング情報を読み取るために必要な時間を表す。
【００２８】
装置のそのような一態様では、RF信号を生成するための手段は、N個のキャリアのうちのいずれかにおいてMTCHの所望の集合に対する総経過時間がしきい値Tcを超えないことを確実にするルールに従って、MSPおよびそれらのそれぞれのMSIの間にMTCHをスケジュールするための手段を含み得、Tcは次式、Tc=(MSP-MSI)/N-遷移時間、として計算され、ここでMSPはMSPの持続時間を表し、MSIはMCHスケジューリング情報を読み取るために必要な時間を表し、ルールは、総経過時間が、N個のキャリアのうちの別の1つにおいて集合の意味において、遷移時間を含めてそれ自体と重ならないことをさらに確実にする。
【００２９】
装置のそのような一態様では、RF信号を生成するための手段は、規定されたサービスが単一のモデムリソースによってアクセス可能であるようにMTCHをスケジュールするための手段を含み得る。
【００３０】
装置のそのような一態様では、RF信号を生成するための手段は、1つのサービス内のすべてのMTCHがスケジューリング制約をすべて満足する最小要件に従ってMTCHをスケジュールするための手段を含み得る。
【００３１】
別の態様では、コンピュータ可読媒体は、そこに記録された命令を有する。命令は、N個のキャリアのうちの1キャリアごとにMSP当たり1キャリアアクセスのレートにおいてアクセスされるように編成されるN個のキャリアを有し、それによってN個のキャリアにわたってMSP持続時間当たりN回のアクセスを必要とする、多重化マルチキャリアRF信号を基地局によって生成することを1つまたは複数のコンピュータに行わせるためのコードを含む。命令はまた、RF信号をUEに基地局によって送信することを1つまたは複数のコンピュータに行わせるためのコードを含む。
【００３２】
コンピュータ可読媒体のそのような一態様では、1つまたは複数のコンピュータにRF信号を生成することを行わせるためのコードは、80ミリ秒、160ミリ秒、320ミリ秒、640ミリ秒、1.28秒、2.56秒、5.12秒、または10.24秒当たり1キャリアアクセスのレートにおいてアクセスされるようにN個のキャリアを編成することを1つまたは複数のコンピュータに行わせるためのコードを含み得る。
【００３３】
コンピュータ可読媒体のそのような一態様では、1つまたは複数のコンピュータにRF信号を生成することを行わせるためのコードは、MSPおよびそれらのそれぞれのMSIが時間的に交互配置されるようにN個のキャリアを編成することを1つまたは複数のコンピュータに行わせるためのコードを含み得る。
【００３４】
コンピュータ可読媒体のそのような一態様では、N個のキャリアを編成することを1つまたは複数のコンピュータに行わせるためのコードは、各MSP内のMTCHの順序がそれらのそれぞれのMSP持続時間内で相対的に固定されるようにN個のキャリアを編成することを1つまたは複数のコンピュータに行わせるためのコードを含み得る。
【００３５】
コンピュータ可読媒体のそのような一態様では、N個のキャリアを編成することを1つまたは複数のコンピュータに行わせるためのコードは、N個のキャリアのそれぞれのMTCHの間のN個のキャリアにわたる静的時間オフセットに基づいてスケジューリングルールを実行することによって、N個のキャリアのうちの1つに対するMSIがN個のキャリアのうちの別の1つに対する別のMSIから推測され得るようにN個のキャリアを編成することを1つまたは複数のコンピュータに行わせるためのコードを含み得る。
【００３６】
コンピュータ可読媒体のそのような一態様では、N個のキャリアを編成することを1つまたは複数のコンピュータに行わせるためのコードは、ノンホッピングMTCHの位置が、それらのそれぞれのMSP持続時間内で周波数ホッピングMTCHの位置に対して固定されるようにN個のキャリアを編成することを1つまたは複数のコンピュータに行わせるためのコードを含み得る。
【００３７】
コンピュータ可読媒体のそのような一態様では、1つまたは複数のコンピュータにRF信号を生成することを行わせるためのコードは、MSPおよびそれらのそれぞれのMSIが時間的に整列されるようにN個のキャリアを編成することを1つまたは複数のコンピュータに行わせるためのコードを含み得る。
【００３８】
コンピュータ可読媒体のそのような一態様では、1つまたは複数のコンピュータにRF信号を生成することを行わせるためのコードは、キャリアごとにN個のキャリアのすべてを共通のMSIで記述することを1つまたは複数のコンピュータに行わせるためのコードを含み得る。
【００３９】
コンピュータ可読媒体のそのような一態様では、N個のキャリアを編成することを1つまたは複数のコンピュータに行わせるためのコードは、N個のキャリアのそれぞれのMTCHの間のN個のキャリアにわたる静的時間オフセットに基づいてスケジューリングルールを実行することによって、N個のキャリアのうちの1つに対するMSIがN個のキャリアのうちの別の1つに対する別のMSIから推測され得るようにN個のキャリアを編成することを1つまたは複数のコンピュータに行わせるためのコードを含み得る。
【００４０】
コンピュータ可読媒体のそのような一態様では、N個のキャリアを編成することを1つまたは複数のコンピュータに行わせるためのコードは、所与のMSP内でMTCHの順序を回転させることを1つまたは複数のコンピュータに行わせるためのコードを含み得る。
【００４１】
コンピュータ可読媒体のそのような一態様では、N個のキャリアを編成することを1つまたは複数のコンピュータに行わせるためのコードは、ノンホッピングMTCHの位置が、それらのそれぞれのMSP内で周波数ホッピングMTCHの位置に対して固定されるようにN個のキャリアを編成することを1つまたは複数のコンピュータに行わせるためのコードを含み得る。
【００４２】
コンピュータ可読媒体のそのような一態様では、1つまたは複数のコンピュータにRF信号を生成することを行わせるためのコードは、最大アクセス時間を1つまたは複数のMTCHに割り振ることを1つまたは複数のコンピュータに行わせるためのコードを含み得る。
【００４３】
コンピュータ可読媒体のそのような一態様では、1つまたは複数のコンピュータにRF信号を生成することを行わせるためのコードは、MTCHの集合がすべて同時にアクセス可能であるようにスケジュールすることを1つまたは複数のコンピュータに行わせるためのコードを含み得る。
【００４４】
コンピュータ可読媒体のそのような一態様では、MTCHの集合をスケジュールすることを1つまたは複数のコンピュータに行わせるためのコードは、MSP内のMTCHの順序付けにおいて、MTCHが時間的に隣接するようにスケジュールすることを1つまたは複数のコンピュータに行わせるためのコードを含み得る。
【００４５】
コンピュータ可読媒体のそのような一態様では、MTCHの集合をスケジュールすることを1つまたは複数のコンピュータに行わせるためのコードは、N個のキャリアのうちの1つにおけるアクセスが、スケジューリングがN個のキャリアのうちの別の1つにおけるアクセスを必要とするより所定の時間早く終了するように、MTCHの集合をスケジュールすることを1つまたは複数のコンピュータに行わせるためのコードを含み得る。
【００４６】
コンピュータ可読媒体のそのような一態様では、1つまたは複数のコンピュータにRF信号を生成することを行わせるためのコードは、UEによる隣接周波数のアクセスを最小化することによって隣接周波数の時間相関を低減するために、隣接周波数セグメントのアクセスが少なくとも部分的に非順次的であるようにスケジュールすることを1つまたは複数のコンピュータに行わせるためのコードを含み得る。
【００４７】
コンピュータ可読媒体のそのような一態様では、1つまたは複数のコンピュータにRF信号を生成することを行わせるためのコードは、現在アクセスされているブロードキャストサービスを含むブロードキャストサブフレームを含むフレームに、ユニキャストトラフィックを割り当てることを1つまたは複数のコンピュータに行わせるためのコードを含み得る。
【００４８】
コンピュータ可読媒体のそのような一態様では、1つまたは複数のコンピュータにRF信号を生成することを行わせるためのコードは、N個のキャリアにわたる単一のMTCH TMGIを維持することを1つまたは複数のコンピュータに行わせるためのコードを含み得る。
【００４９】
コンピュータ可読媒体のそのような一態様では、1つまたは複数のコンピュータにRF信号を生成することを行わせるためのコードは、キャリアごとに固有であり、1つまたは複数の上位レイヤによって組み合わされるMTCH TMGIを維持することを1つまたは複数のコンピュータに行わせるためのコードを含み得る。
【００５０】
コンピュータ可読媒体のそのような一態様では、1つまたは複数のコンピュータにRF信号を生成することを行わせるためのコードは、単一のデバイスモデムリソースが総許容受信時間Trを超える必要がないことを確実にするルールに従って、MSPおよびそれらのそれぞれのMSIをスケジュールすることを1つまたは複数のコンピュータに行わせるためのコードを含み得、Trは式、Tr=(MSP-MSI)-N*キャリア当たり遷移時間、に従って計算され、ここでMSPはMSPの持続時間を表し、MSIはMCHスケジューリング情報を読み取るために必要な時間を表す。
【００５１】
コンピュータ可読媒体のそのような一態様では、1つまたは複数のコンピュータにRF信号を生成することを行わせるためのコードは、N個のキャリアのうちのいずれかにおいてMTCHの所望の集合に対する総経過時間がしきい値Tcを超えないことを確実にするルールに従って、MSPおよびそれらのそれぞれのMSIの間にMTCHをスケジュールすることを1つまたは複数のコンピュータに行わせるためのコードを含み得、Tcは次式、Tc=(MSP-MSI)/N-遷移時間、として計算され、ここでMSPはMSPの持続時間を表し、MSIはMCHスケジューリング情報を読み取るために必要な時間を表し、ルールは、総経過時間が、N個のキャリアのうちの別の1つにおいて集合の意味において、遷移時間を含めてそれ自体と重ならないことをさらに確実にする。
【００５２】
コンピュータ可読媒体のそのような一態様では、1つまたは複数のコンピュータにRF信号を生成することを行わせるためのコードは、規定されたサービスが単一のモデムリソースによってアクセス可能であるようにMTCHをスケジュールすることを1つまたは複数のコンピュータに行わせるためのコードを含み得る。
【００５３】
コンピュータ可読媒体のそのような一態様では、1つまたは複数のコンピュータにRF信号を生成することを行わせるためのコードは、1つのサービス内のすべてのMTCHがスケジューリング制約をすべて満足する最小要件に従ってMTCHをスケジュールすることを1つまたは複数のコンピュータに行わせるためのコードを含み得る。
【００５４】
別の態様では、基地局は、少なくとも1つのプロセッサと、少なくとも1つのプロセッサに結合されたメモリとを含む。少なくとも1つのプロセッサは、N個のキャリアのうちの1キャリアごとにMSP当たり1キャリアアクセスのレートにおいてアクセスされるように編成されるN個のキャリアを有し、それによってN個のキャリアにわたってMSP持続時間当たりN回のアクセスを必要とする、多重化マルチキャリアRF信号を基地局によって生成するように構成される。少なくとも1つのプロセッサはまた、RF信号をUEに基地局によって送信するように構成される。
【００５５】
基地局のそのような一態様では、RF信号を生成するための少なくとも1つのプロセッサの構成は、80ミリ秒、160ミリ秒、320ミリ秒、640ミリ秒、1.28秒、2.56秒、5.12秒、または10.24秒当たり1キャリアアクセスのレートにおいてアクセスされるように、N個のキャリアを編成するための構成を含み得る。
【００５６】
基地局のそのような一態様では、RF信号を生成するための少なくとも1つのプロセッサの構成は、MSPおよびそれらのそれぞれのMSIが時間的に交互配置されるようにN個のキャリアを編成するための構成を含み得る。
【００５７】
基地局のそのような一態様では、N個のキャリアを編成するための少なくとも1つのプロセッサの構成は、各MSP内のMTCHの順序がそれらのそれぞれのMSP持続時間内で相対的に固定されるようにN個のキャリアを編成するための構成を含み得る。
【００５８】
基地局のそのような一態様では、N個のキャリアを編成するための少なくとも1つのプロセッサの構成は、N個のキャリアのそれぞれのMTCHの間のN個のキャリアにわたる静的時間オフセットに基づいてスケジューリングルールを実行することによって、N個のキャリアのうちの1つに対するMSIがN個のキャリアのうちの別の1つに対する別のMSIから推測され得るようにN個のキャリアを編成するための構成を含み得る。
【００５９】
基地局のそのような一態様では、N個のキャリアを編成するための少なくとも1つのプロセッサの構成は、ノンホッピングMTCHの位置が、それらのそれぞれのMSP持続時間内で周波数ホッピングMTCHの位置に対して固定されるようにN個のキャリアを編成するための構成を含み得る。
【００６０】
基地局のそのような一態様では、RF信号を生成するための少なくとも1つのプロセッサの構成は、MSPおよびそれらのそれぞれのMSIが時間的に整列されるようにN個のキャリアを編成するための構成を含み得る。
【００６１】
基地局のそのような一態様では、RF信号を生成するための少なくとも1つのプロセッサの構成は、キャリアごとにN個のキャリアのすべてを共通のMSIで記述するための構成を含み得る。
【００６２】
基地局のそのような一態様では、N個のキャリアを編成するための少なくとも1つのプロセッサの構成は、N個のキャリアのそれぞれのMTCHの間のN個のキャリアにわたる静的時間オフセットに基づいてスケジューリングルールを実行することによって、N個のキャリアのうちの1つに対するMSIがN個のキャリアのうちの別の1つに対する別のMSIから推測され得るようにN個のキャリアを編成するための構成を含み得る。
【００６３】
基地局のそのような一態様では、N個のキャリアを編成するための少なくとも1つのプロセッサの構成は、所与のMSP内でMTCHの順序を回転させるための構成を含み得る。
【００６４】
基地局のそのような一態様では、N個のキャリアを編成するための少なくとも1つのプロセッサの構成は、ノンホッピングMTCHの位置が、それらのそれぞれのMSP内で周波数ホッピングMTCHの位置に対して固定されるようにN個のキャリアを編成するための構成を含み得る。
【００６５】
基地局のそのような一態様では、RF信号を生成するための少なくとも1つのプロセッサの構成は、最大アクセス時間を1つまたは複数のMTCHに割り振るための構成を含み得る。
【００６６】
基地局のそのような一態様では、RF信号を生成するための少なくとも1つのプロセッサの構成は、MTCHの集合がすべて同時にアクセス可能であるようにスケジュールするための構成を含み得る。
【００６７】
基地局のそのような一態様では、MTCHの集合をスケジュールするための少なくとも1つのプロセッサの構成は、MSP内のMTCHの順序付けにおいて、MTCHが時間的に隣接するようにスケジュールするための構成を含み得る。
【００６８】
基地局のそのような一態様では、MTCHの集合をスケジュールするための少なくとも1つのプロセッサの構成は、N個のキャリアのうちの1つにおけるアクセスが、スケジューリングがN個のキャリアのうちの別の1つにおけるアクセスを必要とするより所定の時間早く終了するように、MTCHの集合をスケジュールするための構成を含み得る。
【００６９】
基地局のそのような一態様では、RF信号を生成するための少なくとも1つのプロセッサの構成は、UEによる隣接周波数のアクセスを最小化することによって隣接周波数の時間相関を低減するために、隣接周波数セグメントのアクセスが少なくとも部分的に非順次的であるようにスケジュールするための構成を含み得る。
【００７０】
基地局のそのような一態様では、RF信号を生成するための少なくとも1つのプロセッサの構成は、現在アクセスされているブロードキャストサービスを含むブロードキャストサブフレームを含むフレームに、ユニキャストトラフィックを割り当てるための構成を含み得る。
【００７１】
基地局のそのような一態様では、RF信号を生成するための少なくとも1つのプロセッサの構成は、N個のキャリアにわたる単一のMTCH TMGIを維持するための構成を含み得る。
【００７２】
基地局のそのような一態様では、RF信号を生成するための少なくとも1つのプロセッサの構成は、キャリアごとに固有であり、1つまたは複数の上位レイヤによって組み合わされるMTCH TMGIを維持するための構成を含み得る。
【００７３】
基地局のそのような一態様では、RF信号を生成するための少なくとも1つのプロセッサの構成は、単一のデバイスモデムリソースが総許容受信時間Trを超える必要がないことを確実にするルールに従って、MSPおよびそれらのそれぞれのMSIをスケジュールするための構成を含み得、Trは式、Tr=(MSP-MSI)-N*キャリア当たり遷移時間、に従って計算され、ここでMSPはMSPの持続時間を表し、MSIはMCHスケジューリング情報を読み取るために必要な時間を表す。
【００７４】
基地局のそのような一態様では、RF信号を生成するための少なくとも1つのプロセッサの構成は、N個のキャリアのうちのいずれかにおいてMTCHの所望の集合に対する総経過時間がしきい値Tcを超えないことを確実にするルールに従って、MSPおよびそれらのそれぞれのMSIの間にMTCHをスケジュールするための構成を含み得、Tcは次式、Tc=(MSP-MSI)/N-遷移時間、として計算され、ここでMSPはMSPの持続時間を表し、MSIはMCHスケジューリング情報を読み取るために必要な時間を表し、ルールは、総経過時間が、N個のキャリアのうちの別の1つにおいて集合の意味において、遷移時間を含めてそれ自体と重ならないことをさらに確実にする。
【００７５】
基地局のそのような一態様では、RF信号を生成するための少なくとも1つのプロセッサの構成は、規定されたサービスが単一のモデムリソースによってアクセス可能であるようにMTCHをスケジュールするための構成を含み得る。
【００７６】
基地局のそのような一態様では、RF信号を生成するための少なくとも1つのプロセッサの構成は、1つのサービス内のすべてのMTCHがスケジューリング制約をすべて満足する最小要件に従ってMTCHをスケジュールするための構成を含み得る。
【００７７】
別の他の態様では、ワイヤレス通信の方法は、N個のキャリアを有する多重化マルチキャリアRF信号をUEによって受信するステップを含む。方法は、N個のキャリアのうちの1キャリアごとにMSP当たり1キャリアアクセスを実施し、それによってN個のキャリアにわたってMSP持続時間当たりN回のアクセスを実施することによって、N個のキャリアにUEによってアクセスするステップをさらに含み得る。
【００７８】
別の態様では、ワイヤレス通信のための装置は、N個のキャリアを有する多重化マルチキャリアRF信号をUEによって受信するための手段を含む。装置はまた、N個のキャリアのうちの1キャリアごとにMSP当たり1キャリアアクセスを実施し、それによってN個のキャリアにわたってMSP持続時間当たりN回のアクセスを実施することによって、N個のキャリアにUEによってアクセスするための手段を含む。
【００７９】
別の態様では、コンピュータプログラム製品は、命令が記録されたコンピュータ可読媒体を含む。命令は、N個のキャリアを有する多重化マルチキャリアRF信号をUEによって受信することを1つまたは複数のコンピュータに行わせるためのコードを含む。命令はまた、N個のキャリアのうちの1キャリアごとにMSP当たり1キャリアアクセスを実施し、それによってN個のキャリアにわたってMSP持続時間当たりN回のアクセスを実施することによって、N個のキャリアにUEによってアクセスすることを1つまたは複数のコンピュータに行わせるためのコードを含む。
【００８０】
別の態様では、UEは、少なくとも1つのプロセッサと、少なくとも1つのプロセッサに結合されたメモリとを含む。少なくとも1つのプロセッサは、N個のキャリアを有する多重化マルチキャリアRF信号をUEによって受信するように構成される。少なくとも1つのプロセッサはまた、N個のキャリアのうちの1キャリアごとにMSP当たり1キャリアアクセスを実施し、それによってN個のキャリアにわたってMSP持続時間当たりN回のアクセスを実施することによって、N個のキャリアにUEによってアクセスするように構成される。
【００８１】
後段において、本開示の様々な態様および特徴がさらに詳細に説明される。
【図面の簡単な説明】
【００８２】
【図１】電気通信システムの一例を示すブロック図である。
【図２】電気通信システム内のダウンリンクフレーム構造の一例を示すブロック図である。
【図３】本開示の一態様に従って構成されたeNodeBおよびUEの設計を示すブロック図である。
【図４】多重キャリア無線周波数RF信号内で複数の周波数セグメントにわたって分散された複数のサービスを示す図式図である。
【図５】本開示の1つまたは複数の態様を実施するために基地局によって実行される例示的なブロックを概念的に示す機能ブロック図である。
【図６】本開示の1つまたは複数の態様を実施するためにユーザ機器によって実行される例示的なブロックを概念的に示す機能ブロック図である。
【図７】本開示の1つまたは複数の態様による、ダイバーシティ強化を有する多重キャリア無線周波数RF信号内で複数の周波数セグメントにわたって分散された複数のサービスを示す図式図である。
【図８】本開示の一態様による、マルチキャストチャネル(MCH)スケジューリング期間(MSP)およびそれらのそれぞれのMCHスケジューリング情報(MSI)が時間的に交互配置されるような多重キャリアの編成を示す図式図である。
【図９】本開示の一態様による、MSPおよびそれらのそれぞれのMSIが時間的に整列されるような多重キャリアの編成を示す図式図である。
【図１０】本開示の一態様による、ノンホッピングマルチキャストトランスポートチャネル(MTCH)の位置が、周波数ホッピングMTCHの位置に対して固定されるような多重キャリアの編成を示す図式図である。
【図１１】本開示の一態様による、ノンホッピングマルチキャストトランスポートチャネル(MTCH)の位置が、周波数ホッピングMTCHの位置に対して固定されるような多重キャリアの編成を示す図式図である。
【図１２】本開示の一態様による、隣接周波数セグメントの順次アクセスを示す図式図である。
【図１３】本開示の一態様による、UEによる隣接周波数のアクセスを最小化することによって隣接周波数の時間相関を低減するための、隣接周波数セグメントの非順次アクセスを示す図式図である。
【図１４】本開示の一態様による、現在アクセスされているブロードキャストサービスを含むブロードキャストサブフレームを含むフレームへのユニキャストトラフィックの割り当てを示す図式図である。
【発明を実施するための形態】
【００８３】
添付の図面に関して以下に記載する詳細な説明は、様々な構成の説明として意図されており、本明細書で説明する概念が実践され得る構成のみを表すことは意図されていない。詳細な説明は、様々な概念の完全な理解を与えるための具体的な詳細を含む。しかしながら、これらの概念がこれらの具体的な詳細なしに実施され得ることが、当業者には明らかであろう。いくつかの例では、そのような概念を曖昧にするのを防ぐために、よく知られた構造および構成要素がブロック図の形態において示されている。
【００８４】
本明細書で説明される技法は、CDMA、TDMA、FDMA、OFDMA、SC-FDMAおよび他のネットワークのような、様々なワイヤレス通信ネットワークに使用される場合がある。「ネットワーク」および「システム」という用語は、しばしば互換的に使用される。CDMAネットワークは、ユニバーサル地上無線アクセス(UTRA)、cdma2000などの無線技術を実装し得る。UTRAは、広帯域CDMA(WCDMA（登録商標）)およびCDMAの他の変形を含む。cdma2000は、IS-2000、IS-95およびIS-856の規格をカバーする。TDMAネットワークは、モバイル通信用グローバルシステム(GSM（登録商標）)などの無線技術を実装し得る。OFDMAネットワークは、Evolved UTRA(E-UTRA)、Ultra Mobile Broadband(UMB)、IEEE802.11(Wi-Fi)、IEEE802.16(WiMAX)、IEEE802.20、Flash-OFDMAなどのような無線技術を実装し得る。UTRAおよびE-UTRAは、ユニバーサルモバイル通信システム(UMTS:Universal Mobile Telecommunication System)の一部である。3GPP Long Term Evolution (LTE)およびLTE-Advanced(LTE-A)は、E-UTRAを使用するUMTSの新しいリリースである。UTRA、E-UTRA、UMTS、LTE、LTE-A、およびGSM（登録商標）は、「3rd Generation Partnership Project」(3GPP)という名称の組織からの文書内に記載されている。cdma2000およびUMBは、「3rd Generation Partnership Project 2」(3GPP2)という名称の組織からの文書内に記載されている。本明細書で説明される技法は、前述のワイヤレスネットワークおよび無線技術、ならびに他のワイヤレスネットワークおよび無線技術のために使用され得る。明快のために、技法のいくつかの態様が、LTEについて以下で説明され、以下の説明の多くでは、LTEの専門用語が用いられる。
【００８５】
図1は、LTEネットワークであり得るワイヤレス通信ネットワーク100を示す。ワイヤレスネットワーク100は、いくつかの発展型ノードB(eNodeB)110と他のネットワークエンティティとを含み得る。eNodeBは、UEと通信する局であってよく、基地局、アクセスポイントなどとも呼ばれ得る。ノードBは、UEと通信する局の別の例である。
【００８６】
各eNodeB110は、特定の地理的な領域に対し通信カバレッジを提供することができる。3GPPでは、「セル」という用語は、用語が使用される文脈に応じて、eNodeBのカバレッジエリアおよび/またはこのカバレッジエリアにサービスするeNodeBサブシステムを指すことがある。
【００８７】
eNodeBは、マクロセル、ピコセル、フェムトセル、および/または他の種類のセルのための、通信カバレッジを提供することができる。マクロセルは、比較的大きい地理的エリア(たとえば、半径数キロメートル)をカバーすることができ、サービスに加入しているUEによる無制限のアクセスを可能にし得る。ピコセルは、比較的小さい地理的エリアをカバーすることができ、サービスに加入しているUEによる無制限のアクセスを可能にし得る。フェムトセルは、比較的小さい地理的エリア(たとえば、自宅)をカバーすることができ、そのフェムトセルとの関連性を有するUE(たとえば、限定加入者グループ(CSG:Closed Subscriber Group)内のUE、自宅内のユーザのUEなど)による制限されたアクセスを可能にし得る。マクロセルのためのeNodeBは、マクロeNodeBと呼ばれ得る。ピコセルのためのeNodeBは、ピコeNodeBと呼ばれ得る。フェムトセルのためのeNodeBは、フェムトeNodeBまたはホームeNodeBと呼ばれ得る。図1に示す例では、eNodeB110a、110b、および110cは、それぞれマクロセル102a、102b、および102cのためのマクロeNodeBであり得る。eNodeB110xは、UE120xにサービスする、ピコセル102xのピコeNodeBであり得る。eNodeB110yおよび110zは、それぞれ、フェムトセル102yおよび102zのためのフェムトeNodeBであり得る。eNodeBは、1つまたは複数(たとえば、3つ)のセルをサポートすることができる。
【００８８】
ワイヤレスネットワーク100はまた、中継局を含み得る。中継局は、上流の局(たとえば、eNodeBまたはUE)からデータおよび/または他の情報の送信を受信し、下流の局(たとえば、UEまたはeNodeB)へデータおよび/または他の情報の送信を送る局である。中継局はまた、他のUEのための送信を中継するUEであり得る。図1に示す例では、中継局110rは、eNodeB110aとUE120rとの間の通信を可能にするために、eNodeB110aおよびUE120rと通信し得る。中継局はまた、中継eNodeB、リレーなどとも呼ばれ得る。
【００８９】
ワイヤレスネットワーク100は、様々なタイプのeNodeB、たとえば、マクロeNodeB、ピコeNodeB、フェムトeNodeB、リレーなどを含む異種ネットワークであり得る。これらの様々なタイプのeNodeBは、様々な送信電力レベル、様々なカバレージエリア、およびワイヤレスネットワーク100中の干渉に対する様々な影響を有し得る。たとえば、マクロeNodeBは高い送信電力レベル(たとえば、20ワット)を有することがあり、一方でピコeNodeB、フェムトeNodeBおよびリレーはより低い送信電力レベル(たとえば、1ワット)を有することがある。
【００９０】
ワイヤレスネットワーク100は、同期または非同期動作をサポートすることができる。同期動作では、複数のeNodeBが同様のフレームタイミングを有してもよく、異なるeNodeBからの送信は、時間的にほぼ整列され得る。非同期動作では、複数のeNodeBが異なるフレームタイミングを有してもよく、異なるeNodeBからの送信は、時間的に整列されなくてもよい。本明細書で説明される技法は、同期動作と非同期動作の両方に対して使用され得る。
【００９１】
ネットワークコントローラ130は、eNodeBのセットに結合し、これらのeNodeBのための調整および制御を実現し得る。ネットワークコントローラ130は、バックホールを介してeNodeB110と通信することができる。eNodeB110はまた、たとえば、直接またはワイヤレスもしくはワイヤラインバックホールを介して間接的に、互いに通信することができる。
【００９２】
UE120は、ワイヤレスネットワーク100を全体にわたって分散し得、各UEは静止しており、またはモバイルであり得る。UEは、端末、移動局、加入者ユニット、局などとも呼ばれ得る。UEは、セルラー電話、携帯情報端末(PDA)、ワイヤレスモデム、ワイヤレス通信デバイス、スマートフォン、ハンドヘルドデバイス、ラップトップコンピュータ、タブレット、コードレス電話、ワイヤレスローカルループ(WLL)局、などであり得る。UEは、マクロeNodeB、ピコeNodeB、フェムトeNodeB、リレーなどと通信することが可能であり得る。図1では、両側に矢印がある実線が、UEとサービングeNodeBとの間の所望の送信を示し、サービングeNodeBは、ダウンリンクおよび/またはアップリンクでUEにサービスするように指定されるeNodeBである。両側に矢印のある点線は、UEとeNodeBとの間で干渉する送信を示す。
【００９３】
LTEは、ダウンリンクで直交周波数分割多重化(OFDM)を利用し、アップリンクでシングルキャリア周波数分割多重化(SC-FDM)を利用する。OFDMおよびSC-FDMは、システムの帯域幅を複数の(K個の)直交サブキャリアに分割し、この複数の直交サブキャリアは、一般に、トーン、ビンなどとも呼ばれる。各サブキャリアはデータで変調され得る。一般に、変調シンボルは、OFDMでは周波数領域で、SC-FDMでは時間領域で送られる。隣接するサブキャリア間の間隔は、固定でもよく、サブキャリアの総数(K)は、システム帯域幅に依存し得る。たとえば、サブキャリアの間隔は15kHzであってよく、最小のリソース割り当て(「リソースブロック」と呼ばれる)は12個のサブキャリア(または180kHz)であってよい。その結果、名目上のFFTサイズは、1.25、2.5、5、10、または20メガヘルツ(MHz)のシステム帯域幅に対して、それぞれ、128、256、512、1024、または2048に等しくなり得る。システム帯域幅はまた、サブバンドに区切られ得る。たとえば、サブバンドは1.08MHz(すなわち6個のリソースブロック)をカバーすることができ、1.25、2.5、5、10または20MHzのシステム帯域幅に対して、それぞれ、1、2、4、8または16個のサブバンドが存在し得る。
【００９４】
図2は、LTE内で使用されるダウンリンクフレーム構造を示す。ダウンリンクの送信タイムラインは無線フレームの単位に区分され得る。各無線フレームは、所定の持続時間(たとえば、10ミリ秒(ms))を有してよく、0〜9のインデックスをもつ10個のサブフレームに区分され得る。各サブフレームは、2つのスロットを含み得る。したがって、各無線フレームは、0〜19のインデックスをもつ20個のスロットを含み得る。各スロットは、L個のシンボル期間を含んでよく、たとえば、通常のサイクリックプレフィックスに対して7個のシンボル期間を含んでよく(図2に示されるように)、または、拡張されたサイクリックプレフィックスに対して6個のシンボル期間を含んでよい。各サブフレーム内の2L個のシンボル期間は、0〜2L-1のインデックスを割り当てられ得る。利用可能な時間周波数リソースはリソースブロックに区分され得る。各リソースブロックは、1つのスロット中のN個のサブキャリア(たとえば、12個のサブキャリア)をカバーし得る。
【００９５】
LTEでは、eNodeBは、eNodeBの各セルに対して、主要な同期信号(PSS)と、2次的な同期信号(SSS)とを送ることができる。主要なおよび2次的な同期信号は、図2に示すように、通常のサイクリックプレフィックスを有する各無線フレームのサブフレーム0および5の各々で、それぞれ、シンボル期間6および5内に送られ得る。同期信号は、セル検出および取得のためにUEによって使用され得る。eNodeBは、サブフレーム0のスロット1において、シンボル期間0から3で、物理ブロードキャストチャネル(PBCH)を送ることができる。PBCHは、あるシステム情報を搬送することができる。
【００９６】
図2においては第1のシンボル期間全体が描かれているが、eNodeBは、各サブフレームの第1のシンボル期間の一部のみにおいて物理制御フォーマットインジケータチャネル(PCFICH)を送ることができる。PCFICHは、制御チャネルのために使用されるいくつか(M個)のシンボル期間を搬送することができ、ここで、Mは、1、2、または3に等しくてよく、サブフレームごとに変化してよい。Mはまた、たとえば、リソースブロックが10個未満である、小さいシステム帯域幅では4に等しくてよい。図2に示される例では、M=3である。eNodeBは、各サブフレームの最初のM個のシンボル期間において(図2ではM=3)、物理HARQインジケータチャネル(PHICH)および物理ダウンリンク制御チャネル(PDCCH)を送ることができる。PHICHは、ハイブリッド自動再送信(HARQ)をサポートするための情報を搬送し得る。PDCCHは、UEに対するアップリンクおよびダウンリンクでのリソースの割り当てに関する情報と、アップリンクチャネルに対する電力制御情報とを、搬送することができる。図2では第1のシンボル期間に示されないが、PDCCHおよびPHICHもまた第1のシンボル期間に含まれることが、理解されよう。図2にはそのように示されていないが、同様に、PHICHおよびPDCCHは両方とも、第2のシンボル期間および第3のシンボル期間内にもある。eNodeBは、各サブフレームの残りのシンボル期間において、物理ダウンリンク共有チャネル(PDSCH)を送ることができる。PDSCHは、ダウンリンクでのデータ送信がスケジューリングされている、UEのためのデータを搬送することができる。LTEにおける様々な信号およびチャネルは、「Evolved Universal Terrestrial Radio Access(E-UTRA)、Physical Channels and Modulation」という表題の3GPP TS 36.211で説明され、これは公開されている。
【００９７】
eNodeBは、eNodeBにより用いられるシステム帯域幅の中心1.08MHzにおいて、PSS、SSSおよびPBCHを送ることができる。eNodeBは、これらのチャネルが送られる各シンボル期間の中の、全体のシステム帯域幅にわたって、PCFICHおよびPHICHを送ることができる。eNodeBは、システム帯域幅のある部分で、UEのグループにPDCCHを送ることができる。eNodeBは、システム帯域幅の特定の部分で、特定のUEにPDSCHを送ることができる。eNodeBは、ブロードキャスト方式で、PSS、SSS、PBCH、PCFICHおよびPHICHをすべてのUEに送ることができ、ユニキャスト方式で、PDCCHを特定のUEに送ることができ、ユニキャスト方式で、PDSCHを特定のUEに送ることもできる。
【００９８】
いくつかのリソース要素が、各シンボル期間において利用可能であり得る。各リソース要素は、1つのシンボル期間において1つのサブキャリアをカバーすることができ、実数または複素数の値であり得る1つの変調シンボルを送るために使用され得る。各シンボル期間内に基準信号のために使用されないリソース要素は、リソース要素グループ(REG)に配列され得る。各REGは、1つのシンボル期間中に4つのリソース要素を含み得る。PCFICHは4個のREGを占有してよく、4個のREGは、シンボル期間0において、周波数にわたってほぼ等しく離隔され得る。PHICHは、1つまたは複数の構成可能なシンボル期間中の、周波数にわたって分散し得る3つのREGを占有し得る。たとえば、PHICHの3つのREGは、シンボル期間0にすべて属し得る、またはシンボル期間0、1および2に広がり得る。PDCCHは、最初のM個のシンボル期間において、利用可能なREGから選択され得る、9、18、32、または64個のREGを占有し得る。REGのいくつかの組合せのみがPDCCHに対して許可され得る。
【００９９】
UEは、PHICHおよびPCFICHのために使用される特定のREGを知っていることがある。UEは、PDCCHのためにREGの異なる組合せを探索することができる。探索すべき組合せの数は通常、PDCCHに対して許可された組合せの数よりも少ない。eNodeBは、UEが探索する組合せのいずれにおいても、PDCCHをUEに送ることができる。
【０１００】
UEは、複数のeNodeBのカバレッジの中にあり得る。これらのeNodeBの1つが、UEにサービスするために選択され得る。サービングeNodeBは、受信電力、経路損失、信号対雑音比(SNR)などのような、様々な基準に基づいて選択され得る。
【０１０１】
図3は、図1のeNodeBのうちの1つおよびUEのうちの1つでもよい、eNodeB110およびUE120の設計のブロック図を示す。制限された接続の状況の場合、eNodeB110は図1のマクロeNodeB110cであってよく、UE120はUE120yであってよい。eNodeB110は、アンテナ334a〜334tを備え得、UE120は、アンテナ352a〜352rを備え得る。
【０１０２】
eNodeB110において、送信プロセッサ320は、データソース312からデータを受信し、コントローラ/プロセッサ340から制御情報を受信し得る。制御情報は、PBCH、PCFICH、PHICH、PDCCHなどについてのものであり得る。データは、PDSCHなどについてのものであり得る。プロセッサ320は、データと制御情報とを処理(たとえば、符号化およびシンボルマッピング)して、それぞれデータシンボルと制御シンボルとを取得することができる。プロセッサ320はまた、たとえばPSS、SSS、およびセル特有の基準信号についての基準シンボルを生成し得る。送信(TX)多入力多出力(MIMO)プロセッサ330が、適用可能な場合、データシンボル、制御シンボル、および/または基準シンボルに対する空間処理(たとえば、プリコーディング)を実施し得、変調器(MOD)332a〜332tに出力シンボルストリームを提供し得る。各変調器332は、(たとえば、OFDMなどについての)それぞれの出力シンボルストリームを処理し、出力サンプルストリームを取得し得る。各変調器332は、出力サンプルストリームをさらに処理(たとえば、アナログに変換、増幅、フィルタ処理、およびアップコンバート)し、ダウンリンク信号を取得し得る。変調器332a〜332tからのダウンリンク信号が、それぞれアンテナ334a〜334tを介して送信され得る。
【０１０３】
UE120において、アンテナ352a〜352rが、eNodeB110からダウンリンク信号を受信し、受信した信号を、それぞれ復調器(DEMOD)354a〜354rに提供し得る。各復調器354は、それぞれの受信した信号を調整(たとえば、フィルタ処理、増幅、ダウンコンバート、およびデジタル化)し、入力サンプルを取得し得る。各復調器354は、(たとえば、OFDMなどについての)入力サンプルをさらに処理し、受信したシンボルを取得し得る。MIMO検出器356は、受信したシンボルをすべての復調器354a〜354rから取得し、適用可能な場合、受信したシンボルに対してMIMO検出を実施し、検出したシンボルを提供し得る。受信プロセッサ358が、検出したシンボルを処理(たとえば、復調、デインターリーブ、および復号化)し、UE120のための復号化したデータをデータシンク360に提供し、復号化した制御情報をコントローラ/プロセッサ380に提供し得る。
【０１０４】
アップリンク上で、UE120において、送信プロセッサ364は、データソース362から(たとえば、PUSCHについての)データを受信および処理し、コントローラ/プロセッサ380から(たとえば、PUCCHについての)制御情報を受信および処理し得る。送信プロセッサ364はまた、基準信号のための基準シンボルを生成し得る。送信プロセッサ364からのシンボルは、適用可能な場合、送信MIMOプロセッサ366によってプリコードされ、(たとえば、SC-FDMなどのための)変調器354a〜354rによってさらに処理され、eNodeB110に送信され得る。eNodeB110において、UE120からのアップリンク信号は、アンテナ334によって受信され、復調器332a〜332tによって処理され、適用可能な場合、MIMO検出器336によって検出され、さらに受信プロセッサ338によって処理されて、UE120によって送られた復号化されたデータと制御情報とを取得し得る。受信プロセッサ338は、データシンク339に復号化されたデータを提供し、コントローラ/プロセッサ340に復号化された制御情報を提供し得る。
【０１０５】
コントローラ/プロセッサ340および380は、それぞれeNodeB110およびUE120における動作を指示し得る。プロセッサ340ならびに/またはeNodeB110における他のプロセッサおよびモジュールは、本明細書で説明される技法の様々な処理の実行を、実施または指示することができる。UE120におけるプロセッサ380ならびに/または他のプロセッサおよびモジュールも、図4〜図8に示す機能ブロックの実行、および/または本明細書で説明する技法のための他のプロセスを実施または指示し得る。メモリ342および382は、それぞれeNodeB110およびUE120のためのデータおよびプログラムコードを記憶し得る。スケジューラ344は、ダウンリンクおよび/またはアップリンク上のデータ送信についてUEをスケジューリングし得る。
【０１０６】
前述のように、いくつかの実装形態では、ワイヤレス通信システムは、統計的多重化を有する多重キャリアシステムとして構成され得る。そのような実装形態では、OFDMシンボルのサイクリックプレフィックスを増加させることで、より長いチャネルが自己干渉なしに可能になるが、必要な高速フーリエ変換(FFT)が増加する。Table 1(表1)に示すように、行2は、定義されたLTE eMBMSモードの動作に関係する情報を提供し、一方、行6などの他の行は、eMBMSの妥当な拡張の例を提供する。フレーム編成は、サイクリックプレフィックスの伸長によって影響を受けることがある。たとえば、図2に関して上記で詳述した混合モードの動作に対する特定のフレーム編成は、Table 1(表1)の行1に適用されてよく、他のフレーム編成が、Table 1(表1)の他の行に対して利用され得ることが想定される。Table 1(表1)に追加で示すように、FFTは、屋上通信を達成するために必要なサイクリックプレフィックスの量を拡張する、高度テレビジョンシステム委員会(ATSC)3.0使用事例に対して、20MHzにおいて多大になることがある。
【０１０７】
【表１】
0006495266.tif 000002
【０１０８】
図4に示すように、多大なFFTを回避するための1つの方法は、FFTサイズを縮小するために、キャリアを5MHzおよび/または6MHzセグメントなど、より小さい周波数セグメントに分割することである。この方式では、高帯域幅多重送信(high bandwidth multiplex)は、周波数セグメントに順次アクセスすることによって形成されてよく、そのことで、より効率的な統計的多重化が可能になり得る。これに関連して、外部コードの持続時間を最大化することが、容量を最大化するために望ましい場合がある。しかしながら、より長いダイバーシティが外部コードの有効性を高めるが、それは、同時に、エンドツーエンド待ち時間を増加させる。本開示は、そのような多重キャリアシステムにおいてダイバーシティ強化を提供することを対象とする。
【０１０９】
良好な統計的多重化効率を達成するために、多重送信において多数のサービスを有することが望ましい場合がある。たとえば、多重送信において5つだけのサービスを有することが望ましくない場合がある。加えて、多重送信において10のサービスを有することはより良いが、20以上のサービスを有することは、より望ましい場合がある。
【０１１０】
16Kを超えるFFTの増加を制限するために、通常指定される最大20MHzではなく、5MHzまたは6MHzのいずれかのセグメントが、順次使用されてよい。たとえば、統計的多重化RF信号400は、各々が5MHzセグメントから形成される4つの隣接キャリア402、404、406および408を有するように生成され得る。20以上のサービスが、サイクリック時間期間410の中にこれらのキャリアにわたって分散され得る。個別のキャリアの各々はスタンドアロンフォーマットであり、単一のモデムリソースが集合体全体をサポートし得ることが想定される。
【０１１１】
図4に示す配列に対して、周波数ダイバーシティのロスがいくぶん存在する場合がある。しかしながら、この配列は、最大FFTにおけるかなりの低減を達成し得る。この例では、FFTは、64Kから16Kに低減され得る。以下でより詳細に説明するように、図4のRF信号は、本明細書で開示する新規のダイバーシティ強化を有し得る。
【０１１２】
図5は、本開示の1つまたは複数の態様を実施するための、eNodeB110(図3参照)などの基地局によって実行される例示的なブロックを示す。たとえば、ブロック500において開始し、基地局は、キャリアごとにマルチキャストチャネル(MCH)スケジューリング期間(MSP)当たり1キャリアアクセスのレートにおいてアクセスされるように編成されるN個のキャリアを有する統計的多重化RF信号を生成し得る。ブロック500において遂行される動作は、図7〜図14を参照しながら以下でより詳細に説明される。処理は、ブロック500からブロック502に進む。ブロック502において、基地局は、RF信号をUE120(図3参照)など、1つまたは複数のUEに送信し得る。
【０１１３】
図6は、本開示の1つまたは複数の態様を実施するための、UE120(図3参照)などのユーザ機器によって実行される例示的なブロックを示す。たとえば、ブロック600において開始し、UEは、N個のキャリアを有する統計的多重化RF信号を受信し得る。ブロック600において、UEは、RF信号をeNodeB110(図3参照)などの基地局から受信し得ることが想定される。処理は、ブロック600からブロック602に進む。ブロック602において、UEは、キャリアごとにMSP当たり1キャリアアクセスを実施することによってN個のキャリアにアクセスし得る。ブロック602において遂行される動作は、図7〜図14を参照しながら以下でより詳細に説明される。
【０１１４】
図7は、本開示の1つまたは複数の態様による、ダイバーシティ強化を有する多重キャリア無線周波数RF信号700内で複数の周波数セグメント702、704、706および708にわたって分散された複数のサービスを示す。たとえば、動的適応型ハイパーテキスト転送プロトコル(HTTP)ストリーミング(DASH)セグメント710当たりに約1回、周波数セグメントを切り替える代わりに、周波数セグメント切り替えのレートは、アクセスがキャリアごとにMSP当たり1回となるように増加されてよい。700MHzにおいて、無相関化時間は、2Hzドップラーに対して0.5秒である。したがって、0.320秒ごとに1キャリアアクセスを、基地局がスケジュールし得、UEが実施し得ることが想定される。代替配列において、および無相関化時間に応じて、N個のキャリアが、80ミリ秒、160ミリ秒、320ミリ秒、640ミリ秒、1.28秒、2.56秒、5.12秒、または10.24秒のうちの1つ当たり1キャリアアクセスのレートにおいてアクセスされ得ることが想定される。図7に示す4キャリアの例では、同じMSP持続時間が維持され得るが、各キャリアの中に1つ、MSP持続時間当たりに4つのアクセスが存在し得る。したがって、MTCH/キャリア当たりに割り振られるサブフレームは1/Nに等しく、4キャリアの場合には、それは1/4に等しい。図7に示す編成は、図9に関して以下でより詳細に説明する時間整列されたMSP方法を用いて達成され得ることが想定される。サービス1〜サービス12の単一のシーケンスは、1MSP持続時間に対応し得、単一のサービスは、複数のMTCHおよびそれらの関連する一時的モバイルグループ識別子(TMGI)から成り得る。この例は、キャリア周波数が無相関化され得るので、2秒のセグメントに対して8秒のダイバーシティを達成し得る。このダイバーシティの増加はより多くの電力を消費する場合があるが、8秒のダイバーシティにおけるのと同じ数のアクセスを行うので、電力消費は8秒のダイバーシティにおけるのと同じであり得る。
【０１１５】
N個のキャリアにわたってそれぞれのMSPを編成するために、数個の異なる方法がある。図8は、本開示の一態様による、MSP800およびそれらのそれぞれのMCHスケジューリング情報(MSI)802が、N個のキャリア804〜810にわたって時間的に交互配置されるような、多重キャリアの編成を示す。個別のMSPおよび時間的に交互配置されたMSIに対して、各MSP800内の個別のMTCH812の順序は、相対的に固定され得る。この編成の利点は、MTCH812の簡易な編成であり得る。しかしながら、そのような編成は、キャリア804〜810すべてについて個別にMSI802を読み取るステップを伴い得る。そのような実施は、MSIの読取りが別のキャリア上のデータへのアクセスを阻止する場合があるので、あまり望ましくない場合がある。フォワードエラーコーディング(FEC)を伴うこの能力損失を修正することは、能力の改善をもたらさない場合がある。したがって、この能力損失に対処するための別の方法は、すべてのキャリアに対するMSIが1つのキャリアのMSIから推測され得るように、キャリア804〜810にわたってキャリアのそれぞれのMTCH812の間の静的時間オフセットを実施するステップを含み得る。しかしながら、この手法は、スケジューリングにおける柔軟性が低下する問題がある場合がある。
【０１１６】
図9は、本開示の一態様による、MSP900およびそれらのそれぞれのMSI902が時間的に整列されるような多重キャリアの別の編成を示す。キャリア904〜910にわたって時間的に整列されたMSP900およびMSI902に対して、すべてのキャリアは、キャリアごとに共通のMSI902で記述され得る。代替として、上記で説明した静的時間オフセット方法が、各々のキャリアのMSP900中で任意の、しかし望ましくは第1のMTCHの宣言されたロケーションを使用して利用され得る。時間的に整列されたMSPに対して、MTCH912〜918の順序は、整列されたMSP900の中のMTCH912〜918の各々にUEがアクセスすることを可能にするために回転されてよい。この手法を用いて、MTCH912〜918の編成は少し複雑になる場合があるが、UEは、MSP900の持続時間当たりに全体的に一度、MSI902を読み取るだけである。
【０１１７】
図10は、本開示の一態様による、ノンホッピングマルチキャストトランスポートチャネル(MTCH)1000〜1006の位置が、周波数ホッピングMTCH1010〜1016の位置に対して固定されるような多重キャリアの編成を示す。たとえば、周波数ホッピングを使用することなく、単一のキャリア上に本質的に長いダイバーシティを有するファイル配信サービスが存在する場合がある。時間的に交互配置されるMSP1008に対して、MSP1008内のノンホッピングMTCH1000〜1006の集合は、一連のMTCH1000〜1006が、1つのキャリアから次のキャリアまで静的であるが、キャリアごとに絶対的なMSP時間シフトを有するという観点で編成され得る。この編成手法は、ノンホッピングMTCH1000〜1006の位置が周波数ホッピングMTCH1010〜1016に対して固定され、ノンホッピングMTCHに対していくぶんの電力節約が存在し得るという結果をもたらし得る。
【０１１８】
図11は、本開示の一態様による、ノンホッピングマルチキャストトランスポートチャネル(MTCH)1100〜1106の位置が、周波数ホッピングMTCH1110〜1116の位置に対して固定されるような多重キャリアの別の編成を示す。時間整列されたMSP1108に対して、MTCHのシーケンスはシフトする場合があるが、MSPの相対位置は整列されたままであり得る。時間的に交互配置されるMSPに対して上記で説明した手法と同様に、この時間整列された手法は、ノンホッピングMTCH1100〜1106の位置が周波数ホッピングMTCH1110〜1116に対して固定され、ノンホッピングMTCHに対していくぶんの電力節約が存在し得るという結果をもたらし得る。
【０１１９】
RF信号を生成する基地局は、1つまたは複数のMTCHに対して最大アクセス時間を割り振り得ることが想定される。これに関連して、達成され得る最大のアクセス可能時間は、単一のキャリアのアクセス可能時間からN個のキャリアの間の関連する遷移時間を減じたものであり得る。利用されるキャリアの数が増加するにつれて、最大アクセス可能時間は、キャリア当たり最大で10msずつ、わずかに減少する。この最大アクセス時間は、1つまたは複数のMTCHに割り振られ得ることが想定される。
【０１２０】
MTCHの集合をスケジュールする基地局が、集合のMTCHのすべてが同時にアクセス可能であるように集合をスケジュールし得ることも想定される。このスケジューリングを達成するための1つの方法は、MSP内のMTCHの順序付けにおいて、集合のMTCHを時間的に隣接させることであり得る。交互配置されたMSPに対して、図8および図10を参照しながら上記で詳述したように、最大アクセス時間の制限が満足される限り、現在のキャリア内のアクセスが、スケジューリングが別のキャリア上のアクセスを必要とするより少なくとも10ms早く終了するように制約され得ることを除いて、追加の制約はない。時間整列されたMSPに対して、図9および図11を参照しながら上記で詳述したように、同様のルールが、MTCHをスケジュールするときに基地局によって順守され得る。MSIアクセスは、常に、サポートされ得る。
【０１２１】
図12は、本開示の一態様による、隣接周波数セグメントの順次アクセスを示す。周波数セグメント1200〜1206(すなわち、キャリア)が真に隣接する場合、隣接周波数セグメントの間にわずかな相関がいくぶん存在する場合がある。したがって、図12に示すように、隣接周波数セグメント1200〜1206に順次アクセスすることを回避することに、何らかの利点が存在する場合がある。たとえば、図12に示すように、3つの順次アクセスステップ1208〜1212は、1つの非順次アクセスステップ1214によって後続され得る。
【０１２２】
図13は、本開示の一態様による、UEによる隣接周波数のアクセスを最小化することによって隣接周波数セグメント1300〜1306の時間相関を低減するための、隣接周波数セグメントの非順次アクセスを示す。たとえば、図13に示すように、3つの非順次アクセスステップ1308、1310および1314は、アクセスステップ1310に続いてかつアクセスステップ1314の前に単一の順次アクセスステップ1312を実施することによって完遂され得る。したがって、3つおよび4つの周波数セグメントの場合など、いくつかの環境において、少なくとも1つの隣接するアクセスステップが回避され得ないとしても、依然として、可能な限り非順次アクセスステップを実施することによって、隣接するアクセスステップの数を最小化することは可能であり得る。この方法は、N個のキャリアに拡張されてよく、ここでNは3よりも大きい。
【０１２３】
図14は、本開示の一態様による、現在アクセスされているブロードキャストサービスを含むブロードキャストサブフレームを含むフレーム1400への、ユニキャストトラフィックの割り当てを示す。この割り当ては、周波数セグメントのうちの任意の1つが、所与のUEに割り当てられた主キャリア(primary component carrier)(PCC)であり得る可能性を受け入れる。そのような状況は、いくつかのサブフレーム1402〜1408が、ユニキャストに割り振られる(すなわち、混合モード動作)ことを必要とする場合がある。この種の編成は、Table 1(表1)の行5まで可能であり、そこにおいて、シンボル時間はサブフレームに対する整数の割合である。これらの状況において必要とされる順次アクセスを仮定すれば、ユニキャストの利用をマルチキャストアクセスのルールに従わせることは理にかなっている。言い方を変えれば、ユニキャストトラフィックは、現在アクセスされているブロードキャストサービスを含むブロードキャストサブフレームを含むフレームに割り当てられ得る。代替として、2つのモデムリソースを割り振ることが望まれている場合、PCCは従来のユニキャストであってよく、eMBMS専用キャリアの各々は、N+1編成における副キャリア(secondary component carrier)(SCC)であってよい。単一のMTCH TMGIは、キャリアのグループにわたって維持され得ることが想定される。代替として、MTCH TMGIはキャリアごとに固有であり、スタック内でより高く結合することが想定されるが、この手法は、サービスごとに複数のTMGIを有する必要があるので、あまり望ましくない場合がある。
【０１２４】
基地局は、MTCHのスケジューリングにおいて様々なルールまたは制約を履行し得ることが想定される。たとえば、単一のデバイスモデムリソースが総許容受信時間Trを超える必要がない限り、すべて適切に実施し得るスケジューリングへのいくつかの手法が存在し、Trは下記の、
Tr=(MSP-MSI)-N*キャリア当たり遷移時間
として計算され、
ここでNはキャリアの数であり、MSPはMSP持続時間を表し、MSIは、MCHスケジューリング情報を読み取るのに必要な時間を表す。加えて、MTCHの集合をスケジュールする基地局に関連する他の制約が存在する場合がある。
【０１２５】
MTCHの集合をスケジュールするために、基地局は、追加のルールまたは制約を順守し得る。たとえば、基地局は、任意のキャリア上の所望の集合に対する総経過時間が、しきい値Tcを超えないことを確実にし得、Tcは下記の、
Tc=(MSP-MSI)/N-遷移時間
として計算され、
ここでNはキャリアの数であり、MSPはMSP持続時間を表し、MSIは、MCHスケジューリング情報を読み取るのに必要な時間を表す。基地局はまた、任意のキャリア上の所望の集合に対する総経過時間が、別のキャリア上で集合の意味において、遷移時間を含めてそれ自体と重ならないことを確実にし得る。
【０１２６】
関連するMTCHの定義された集合のシグナリングは、基地局がサービスにおいてMTCHの時間的隣接性を有する良好な(successful)スケジュールを形成するためにこの情報を使用し得るので、望ましい場合があることが想定される。そのようなMTCHをスケジュールするために基地局によって利用され得る例示的なルールまたは制約は、1つのサービス中のすべてのMTCHが、スケジューリングの制約をすべて満足するという要件であり得る。MTCHのスケジューリングにおいて基地局によって利用されるいくつかのルールは、サービスが、グループ1、グループ3、グループ5などのグループ番号の1メンバーであることを必要とするルールのように、簡単であり得る。これに関連して、各グループは、同時にアクセス可能であり得る。言い換えれば、基地局は、共通のグループ内のサービスが単一のモデムリソースによってアクセス可能であるというルールまたは制約を実行し得る。基地局は、サービスのグループに対するスケジューリング保証のようなルールを実施し得ることが想定される。しかしながら、複数のモデムリソースが利用可能である場合、基地局は、複数のグループにわたるサービスを可能にするために、異なるスケジューリングルールを使用し得る。
【０１２７】
情報および信号は、多種多様な技術および技法のいずれかを使用して表され得ることを、当業者は理解するであろう。たとえば、上記の説明全体を通して参照され得るデータ、命令、コマンド、情報、信号、ビット、シンボル、およびチップは、電圧、電流、電磁波、磁場もしくは磁性粒子、光場もしくは光粒子、またはその組合せによって表され得る。
【０１２８】
本明細書の開示に関連して説明された様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアとのこの相互交換可能性を明瞭に示すために、様々な例示的な構成要素、ブロック、モジュール、回路、およびステップが、上では全般的にその機能性に関して説明された。そのような機能性が、ハードウェアまたはソフトウェアのどちらとして実施されるのかは、具体的な適用例と、システム全体に課せられる設計制約とによって決まる。当業者は、説明した機能を特定の適用例ごとに様々な方法で実装し得るが、そのような実装の決定は、本開示の範囲からの逸脱をもたらすものと解釈されるべきではない。
【０１２９】
本明細書の開示に関連して説明される様々な例示的論理ブロック、モジュール、および回路は、本明細書で説明される機能を実施するように設計された汎用プロセッサ、デジタル信号プロセッサ(DSP)、特定用途向け集積回路(ASIC)、フィールドプログラマブルゲートアレイ(FPGA)または他のプログラマブル論理デバイス、ディスクリートゲートまたはトランジスタロジック、ディスクリートハードウェア構成要素、あるいはそれらの任意の組合せとともに実装または実施され得る。汎用プロセッサはマイクロプロセッサであり得るが、代替形態では、プロセッサは、任意の従来型プロセッサ、コントローラ、マイクロコントローラ、または状態機械であり得る。プロセッサはまた、コンピューティングデバイスの組合せ、たとえばDSPとマイクロプロセッサの組合せ、複数のマイクロプロセッサ、1つまたは複数のマイクロプロセッサとDSPコア、あるいは任意の他のそのような構成として実装され得る。
【０１３０】
本明細書の開示に関連して説明される方法またはアルゴリズムのステップは、ハードウェアで直接的に、プロセッサによって実行されるソフトウェアモジュールで、またはその2つ組合せで実施され得る。ソフトウェアモジュールは、RAMメモリ、フラッシュメモリ、ROMメモリ、EPROMメモリ、EEPROMメモリ、レジスタ、ハードディスク、取外し可能ディスク、CD-ROM、または当技術分野で周知の任意の他の形態の記憶媒体内に常駐し得る。例示的な記憶媒体は、プロセッサが記憶媒体から情報を読み出し、記憶媒体に情報を書き込むことができるように、プロセッサに結合される。代替形態では、記憶媒体は、プロセッサと一体に構成することができる。プロセッサおよび記憶媒体は、ASIC内に存在し得る。ASICは、ユーザ端末内に存在する場合がある。代替形態で、プロセッサおよび記憶媒体は、ユーザ端末内の個別の構成要素として存在してもよい。
【０１３１】
1つまたは複数の例示的設計では、記載された機能は、ハードウェア、ソフトウェア、ファームウェア、またはその任意の組合せにおいて実装されてもよい。ソフトウェアで実装される場合、機能は、1つもしくは複数の命令またはコードとして、コンピュータ可読媒体上に記憶され得るか、あるいはコンピュータ可読媒体を介して送信され得る。コンピュータ可読媒体は、コンピュータ記憶媒体と、コンピュータプログラムの1つの場所から別の場所への転送を容易する任意の媒体を含む通信媒体との両方を含む。記憶媒体は、汎用または特殊用途コンピュータによってアクセスされ得る任意の使用可能な媒体であってもよい。限定的ではなく、一例として、そのようなコンピュータ可読媒体は、RAM、ROM、EEPROM、CD-ROMもしくはその他の光ディスク記憶装置、磁気ディスク記憶装置もしくはその他の磁気記憶装置、または望ましいプログラムコード手段を命令またはデータ構造の形態で搬送または記憶するために使用され得る、汎用もしくは特殊用途コンピュータ、または汎用もしくは特殊用途プロセッサによってアクセスされ得る任意の他の媒体を備えることができる。また、任意の接続が適切にコンピュータ可読媒体と呼ばれる。たとえば、ソフトウェアが、同軸ケーブル、光ファイバケーブル、ツイストペア、デジタル加入者線(「DSL」)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用される場合、ディスク(disk)およびディスク(disc)は、コンパクトディスク(disc)(CD)、レーザディスク(disc)、光ディスク(disc)、デジタルバーサタイルディスク(disc)(DVD)、フロッピーディスク(disk)、およびブルーレイディスク(disc)を含み、ディスク(disk)は通常、データを磁気的に再現し、一方、ディスク(disc)はデータをレーザで光学的に再現する。上記の組合せもコンピュータ可読媒体の範囲の中に含まれるべきである。
【０１３２】
特許請求の範囲を含めて本明細書で使用される場合、「および/または」という用語は、2つ以上の項目からなる列挙において使われるとき、列挙される項目のうちどの1つも、それだけで利用されてよく、または列挙される項目のうち2つ以上からなるどの組合せも利用されてよいことを意味する。たとえば、構成が、構成要素A、B、および/またはCを含むものとして記載される場合、その構成は、A単体、B単体、C単体、AとBを組み合わせて、AとCを組み合わせて、BとCを組み合わせて、またはA、B、およびCを組み合わせて含むことができる。また、特許請求の範囲を含めて本明細書で使用する場合、「のうちの少なくとも1つ」によって修飾される項目の列挙で用いられる「または」は、たとえば、「A、B、またはCのうちの少なくとも1つ」という列挙が、AまたはBまたはCまたはABまたはACまたはBCまたはABC(すなわち、AおよびBおよびC)を意味するように、選言的な列挙を示す。
【０１３３】
本開示の先の説明は、いかなる当業者も本開示を作製または使用できるようにするために提供される。本開示への様々な修正が当業者には容易に明らかになり、本明細書で定義される一般原理は、本開示の趣旨または範囲から逸脱することなく、他の変形形態に適用され得る。したがって、本開示は、本明細書で説明する例および設計に限定されるものではなく、本明細書で開示する原理および新規の特徴に合致する最も広い範囲を与えられるべきである。
【符号の説明】
【０１３４】
100  ワイヤレス通信ネットワーク
102a  マクロセル
102b  マクロセル
102c  マクロセル
102x  ピコセル
102y  フェムトセル
102z  フェムトセル
110  eNodeB
110a  eNodeB
110b  eNodeB
110c  eNodeB
110r  中継局
110x  eNodeB
110y  eNodeB
110z  eNodeB
120  UE
120r  UE
120x  UE
120y  UE
130  ネットワークコントローラ
312  データソース
320  送信プロセッサ
330  送信(TX)多入力多出力(MIMO)プロセッサ
332a  変調器(MOD)
332t  MOD
334a  アンテナ
334t  アンテナ
336  MIMO検出器
338  受信プロセッサ
339  データシンク
340  コントローラ/プロセッサ
342  メモリ
344  スケジューラ
352a  アンテナ
352r  アンテナ
354a  復調器(DEMOD)
354r  DEMOD
356  MIMO検出器
358  受信プロセッサ
360  データシンク
362  データソース
364  送信プロセッサ
366  送信MIMOプロセッサ
380  コントローラ/プロセッサ
382  メモリ
400  統計的多重化無線周波数(RF)信号
402  キャリア
404  キャリア
406  キャリア
408  キャリア
410  サイクリック時間期間
700  多重キャリア無線周波数RF信号
702  周波数セグメント
704  周波数セグメント
706  周波数セグメント
708  周波数セグメント
710  動的適応型ハイパーテキスト転送プロトコル(HTTP)ストリーミング(DASH)セグメント
800  マルチキャストチャネル(MCH)スケジューリング期間(MSP)
802  MCHスケジューリング情報(MSI)
804  キャリア
806  キャリア
808  キャリア
810  キャリア
812  MTCH
900  MSP
902  MSI
904  キャリア
906  キャリア
908  キャリア
910  キャリア
912  MTCH
914  MTCH
916  MTCH
918  MTCH
1000  ノンホッピングMTCH
1002  ノンホッピングMTCH
1004  ノンホッピングMTCH
1006  ノンホッピングMTCH
1008  MSP
1010  周波数ホッピングMTCH
1012  周波数ホッピングMTCH
1014  周波数ホッピングMTCH
1016  周波数ホッピングMTCH
1100  ノンホッピングMTCH
1102  ノンホッピングMTCH
1104  ノンホッピングMTCH
1106  ノンホッピングMTCH
1108  時間整列されたMSP
1110  周波数ホッピングMTCH
1112  周波数ホッピングMTCH
1114  周波数ホッピングMTCH
1116  周波数ホッピングMTCH
1200  周波数セグメント
1202  周波数セグメント
1204  周波数セグメント
1206  周波数セグメント
1208  順次アクセスステップ
1210  順次アクセスステップ
1212  順次アクセスステップ
1214  非順次アクセスステップ
1300  周波数セグメント
1302  周波数セグメント
1304  周波数セグメント
1306  周波数セグメント
1308  非順次アクセスステップ
1310  非順次アクセスステップ
1312  順次アクセスステップ
1314  非順次アクセスステップ
1400  フレーム
1402  サブフレーム
1404  サブフレーム
1406  サブフレーム
1408  サブフレーム
【図１】
0006495266.tif 000003
【図２】
0006495266.tif 000004
【図３】
0006495266.tif 000005
【図４】
0006495266.tif 000006
【図５】
0006495266.tif 000007
【図６】
0006495266.tif 000008
【図７】
0006495266.tif 000009
【図８】
0006495266.tif 000010
【図９】
0006495266.tif 000011
【図１０】
0006495266.tif 000012
【図１１】
0006495266.tif 000013
【図１２】
0006495266.tif 000014
【図１３】
0006495266.tif 000015
【図１４】
0006495266.tif 000016